(57)【要約】【課題】安全でパネル固定力が強く長期間保持される表示パネル用固定枠を提供するものである。【解決手段】多角形を構成する枠材１ａ，１ｂの枠外周面側と正面側とを覆うように被さる外向きの山形断面の押えカバー８ａ，８ｂを、上記枠材１ａ，１ｂの軸線方向に沿って締着可能に取付け、押えカバー８ａ，８ｂの締着と共に表示パネル１１を枠体１の正面側に固定する表示パネル用固定枠において、上記押えカバー８ａ，８ｂの断面の両端が枠材１ａ，１ｂの周面に２点で当接するように押えカバー８ａ，８ｂをＣ形断面に湾曲又は折曲させて形成し、該Ｃ形断面の外端１２ａと枠材１ａ，１ｂの外周との間に押えカバー８ａ，８ｂの締着時にその断面の外端１２ａを周方向に位置決めする係合部１２を設け、上記押えカバー８ａ，８ｂの山形の周面側より押えカバー８ａ，８ｂを枠材１ａ，１ｂに締着固定する。【選択図】図２
2015161787.tif 000002
【特許請求の範囲】
【請求項１】
棒状の枠材（１ａ，１ｂ）を多角形の額縁状に組合わせて固定した枠体（１）に対し、多角形を構成する枠材（１ａ，１ｂ）に対し該枠材（１ａ，１ｂ）の断面の枠外周面側と正面側とを覆うように被さる外向きの山形断面の押えカバー（８ａ，８ｂ）を上記枠材（１ａ，１ｂ）の軸線方向に沿って締着可能に取付け、上記枠材（１ａ，１ｂ）の正面側表面と押えカバー（８ａ，８ｂ）の断面の内端との間に上記枠形状に沿った外形の表示パネル（１１）の外周縁を挿入し、押えカバー（８ａ，８ｂ）の締着と共に表示パネル（１１）を枠体（１）の正面側に固定する表示パネル用固定枠において、上記押えカバー（８ａ，８ｂ）の断面の両端が枠材（１ａ，１ｂ）の周面に２点で当接するように押えカバー（８ａ，８ｂ）をＣ形断面に湾曲又は折曲させて形成し、該Ｃ形断面の外端（１２ａ）と枠材（１ａ，１ｂ）の外周との間に押えカバー（８ａ，８ｂ）の締着時にその断面の外端（１２ａ）を周方向に位置決めする係合部（１２）を設け、上記押えカバー（８ａ，８ｂ）の山形の周面側より押えカバー（８ａ，８ｂ）を枠材（１ａ，１ｂ）に締着固定する表示パネル用固定枠。
【請求項２】
押えカバー（８ａ，８ｂ）を締着した状態で、締着用のボルト（１４）の締付面が押えカバー（８ａ，８ｂ）周面に密着するように押えカバー（８ａ，８ｂ）周面に締付座（１６）を形成してなる請求項１に記載の表示パネル用固定枠。
【請求項３】
係合部（１２）が押えカバー（８ａ，８ｂ）のＣ形断面の外端（１２ａ）と周面との間で凹凸同士が係合することによって位置決めされる機構である請求項１又は２に記載の表示パネル用固定枠。
【請求項４】
枠材（１ａ，１ｂ）の断面が多角形断面であり、該多角形断面の枠外周側の山形コーナー部（１２ｂ）と、該山形コーナー部（１２ｂ）に被さり、押えカバー（８ａ，８ｂ）のＣ形断面の外端（１２ａ）の谷形に形成された凹面部とで係合部（１２）を構成した請求項１，２又は３に記載の表示パネル用固定枠。
【請求項５】
押えカバー（８ａ，８ｂ）のＣ形断面の外端寄りに偏位した位置に締着用のボルト（１４）を挿通してなる請求項１，２，３又は４に記載の表示パネル用固定枠。
【請求項６】
枠体（１）のコーナー部で突き合わせて交差し連結固定される枠材（１ａ，１ｂ）をパイプ状部材とし、コーナー部で開口する一方の枠材（１ａ）の開口端に枠体（１）のコーナー部を覆うコーナーカバー（１７）を差込み固定した請求項１，２，３，４又は５に記載の表示パネル用固定枠。
【請求項７】
コーナーカバー（１７）の外周の角部にアールを付して面取り形状にした請求項６に記載の表示パネル用固定枠。
【請求項８】
コーナーカバー（１７）を弾力性を備えた軟質プラスチック材で形成した請求項６又は７に記載の表示パネル用固定枠。
【請求項９】
コーナーカバー（１７）の断面内部に枠体（１）のコーナー部の枠材を差込む差込孔（１７ａ）を形成した請求項６，７又は８に記載の表示パネル用固定枠。
【請求項１０】
差込孔（１７ａ）の内部に、枠体（１）のコーナー部で交差する一方の枠材の開口端に差込み挿入される差込突起（１７ｂ）を形成した請求項９に記載の表示パネル用固定枠。
【請求項１１】
差込孔（１７ａ）の正面側内面と差込まれた枠材（１ａ）の正面側表面との間に１枚以上の表示パネル（１１）を収容できるパネル挿入間隙（１７ｃ）を設けた請求項９又は１０に記載の表示パネル用固定枠。
【請求項１２】
枠体（１）の相対する辺に外側から係脱可能に係止されるフック状の係止具（２１）と、該係止具（２１）を他に設置されるポール（２２）又は梁状部材に着脱可能に締付け固定する取付具（２３）を設けてなる請求項１〜１１のいずれかに記載の表示パネル用固定枠。
【発明の詳細な説明】
【技術分野】
【０００１】
この発明は路上や通路やイベント会場等において、通行人や車両等を案内し又は注意を喚起する等の役割を果たす表示パネルを取付けて表示する表示パネル用固定枠に関する。
【背景技術】
【０００２】
従来上記のような用途に用いられる表示パネル用固定枠として特許文献１に示されるものが公知である。
【０００３】
上記特許文献１の発明は、長方形の枠体（縁材１）の枠材の表面側と外周面側に被さるＬ字形の山形断面の押えカバー（押えプレート３）を周面側から締着し、上記押えカバーのＬ字形断面の枠体外周側端部（外端部）をフック状に形成し、正方形断面の枠材（框材１０）の外周背面側コーナー部に係止する一方で、押えカバー締着時に押えカバーのＬ字形断面の枠材正面側の内向き端部（内端部）が枠体正面側に押接され、枠材正面側表面と押えカバー断面の内端との間に表示パネルの外周縁を押圧挟持することにより、表示パネルを固定して表示する機構である（特許文献１の図３，図４参照）。
【先行技術文献】
【特許文献】
【０００４】
【特許文献１】特許第４２６３８４７号公報（図３，図４）
【発明の概要】
【発明が解決しようとする課題】
【０００５】
上記従来技術の発明は、枠体に対する表示パネルの固定が全周縁において確実に押圧固定されるため、屋外でのパネルへの風圧によりパネルの変形や破損，枠体からの外れ等を防止できる利点がある。
【０００６】
しかし、押えカバーがＬ字形断面であるため、Ｌ字形断面の外周面の両端に略直角のコーナー部が形成されているため、枠体の取扱い時や転倒時等に上記コーナー部が人の顔や頭部，手足等に衝突して負傷する等の懸念があった。
【０００７】
また押えカバーを締着した時に、押えカバーのＬ字形の一通が、枠体の外周に密着して強固な締着ができる利点がある。しかし、表示パネルの厚みが想定厚みより厚い場合や、交換用の複数の表示パネルを背面側に重ねて保持するためにパネル厚が厚くなる場合等には、Ｌ字形断面の外周側の一辺が、枠材外周の平面に対して傾斜した状態で締着されるため、締着用のボルトとの締付面が押えカバーの外周表面に対して片当りした状態になるため、屋外設置中の振動や衝撃により締着ボルトが緩んでパネルが外れる欠点がある。
【０００８】
さらに、押えカバーがＬ字形断面であるため、締着時のパネルに対する押圧力が、主としてＬ字形断面の内端側の一辺の弾力に集中するため、長期間の繰り返し使用により、上記Ｌ字形断面の正面側一辺（押え片）の弾力性が劣化し、パネルの押圧力が乏しくなるため、パネルが風圧等により外れ易くなる欠点がある。
【０００９】
この発明は上記のような従来技術の欠点を改善し、安全でパネル固定力が強く長期間保持される表示パネル用固定枠を提供するものである。
【００１０】
その他、この発明は枠体のコーナー部の人への接触時の安全や、表示パネルの厚みの変動にも対応できるコーナーカバーを提供することを目的としている。
さらに、表示パネル固定枠を安定的に設置することも副次的な目的としている。
【課題を解決するための手段】
【００１１】
上記課題を解決する本発明の表示パネル固定枠は、第１に、棒状の枠材１ａ，１ｂを多角形の額縁状に組合わせて固定した枠体１に対し、多角形を構成する枠材１ａ，１ｂに対し該枠材１ａ，１ｂの断面の枠外周面側と正面側とを覆うように被さる外向きの山形断面の押えカバー８ａ，８ｂを上記枠材１ａ，１ｂの軸線方向に沿って締着可能に取付け、上記枠材１ａ，１ｂの正面側表面と押えカバー８ａ，８ｂの断面の内端との間に上記枠形状に沿った外形の表示パネル１１の外周縁を挿入し、押えカバー８ａ，８ｂの締着と共に表示パネル１１を枠体１の正面側に固定する表示パネル用固定枠において、上記押えカバー８ａ，８ｂの断面の両端が枠材１ａ，１ｂの周面に２点で当接するように押えカバー８ａ，８ｂをＣ形断面に湾曲又は折曲させて形成し、該Ｃ形断面の外端１２ａと枠材１ａ，１ｂの外周との間に押えカバー８ａ，８ｂの締着時にその断面の外端１２ａを周方向に位置決めする係合部１２を設け、上記押えカバー８ａ，８ｂの山形の周面側より押えカバー８ａ，８ｂを枠材１ａ，１ｂに締着固定することを特徴としている。
【００１２】
第２に、押えカバー８ａ，８ｂを締着した状態で、締着用のボルト１４の締付面が押えカバー８ａ，８ｂ周面に密着するように押えカバー８ａ，８ｂ周面に締付座１６を形成してなることを特徴としている。
【００１３】
第３に、係合部１２が押えカバー８ａ，８ｂのＣ形断面の外端１２ａと周面との間で凹凸同士が係合することによって位置決めされる機構であることを特徴としている。
【００１４】
第４に、枠材１ａ，１ｂの断面が多角形断面であり、該多角形断面の枠外周側の山形コーナー部１２ｂと、該山形コーナー部１２ｂに被さり、押えカバー８ａ，８ｂのＣ形断面の外端１２ａの谷形に形成された凹面部とで係合部１２を構成したことを特徴としている。
【００１５】
第５に、押えカバー８ａ，８ｂのＣ形断面の外端寄りに偏位した位置に締着用のボルト１４を挿通してなることを特徴としている。
【００１６】
第６に、枠体１のコーナー部で突き合わせて交差し連結固定される枠材１ａ，１ｂをパイプ状部材とし、コーナー部で開口する一方の枠材１ａの開口端に枠体１のコーナー部を覆うコーナーカバー１７を差込み固定したことを特徴としている。
【００１７】
第７に、コーナーカバー１７の外周の角部にアールを付して面取り形状にしたことを特徴としている。
【００１８】
第８に、コーナーカバー１７を弾力性を備えた軟質プラスチック材で形成したことを特徴としている。
【００１９】
第９に、コーナーカバー１７の断面内部に枠体１のコーナー部の枠材を差込む差込孔１７ａを形成したことを特徴としている。
【００２０】
第１０に、差込孔１７ａの内部に、枠体１のコーナー部で交差する一方の枠材の開口端に差込み挿入される差込突起１７ｂを形成したことを特徴としている。
【００２１】
第１１に、差込孔１７ａの正面側内面と差込まれた枠材１ａの正面側表面との間に１枚以上の表示パネル１１を収容できるパネル挿入間隙１７ｃを設けたことを特徴としている。
【００２２】
第１２に、枠体１の相対する辺に外側から係脱可能に係止されるフック状の係止具２１と、該係止具２１を他に設置されるポール２２又は梁状部材に着脱可能に締付け固定する取付具２３を設けてなることを特徴としている。
【発明の効果】
【００２３】
以上のように構成される本発明は以下のような具体的な効果を奏する。
【００２４】
（１）押えカバーが外周に向って山形のＣ形断面を形成しているので、枠体の各辺の正面側を周面側に大きく突出したコーナーができないため、取扱い時や転倒時に人に対する危険性がなく取扱いも容易であるほか、枠体正面側がＣ形に盛り上がっているため、積み重ね時に表示時パネル表面が他の枠体等と接触し難く損傷や変形等が防止できる。
【００２５】
（２）押えカバーのＣ形断面の外端が係合部により位置決めされ、他方の内端部で枠体正面側表面に対して表示パネルの周縁を押圧挟持する２点接触であるため、Ｃ形断面の外周面を締め付けた際に、押えカバーの全断面の弾力により表示パネルの押圧固定が確実で且つ長期間の繰り返し使用による押えカバーの弾力低下や変形が防止できる。
【００２６】
（３）押えカバーを締着した状態で締着ボルトの締付面が押えカバー周面の締付座が密着するため、長時間使用しても振動等によるボルトの緩みが生じない。
【００２７】
（４）係合部が凹凸の係合によって位置決めされるため、押えカバーの取付状態が安定し且つ押えカバーのＣ形断面全体が弾力的に作用し、表示パネルの固定が安定するほか、Ｃ形断面の外端寄りを締め付けることによっても内端側の開閉幅が大きくなるため、表示パネルの厚みの変動や交換用のパネル等の複数枚の表示パネルを重ねて固定することが容易になる。
【００２８】
（５）枠体のコーナー部にコーナーカバーを設けることにより、固定枠の取扱い時や転倒時等に突起状のコーナー接触による人体への危険が防止でき、その外形をアール状に加工し或いは弾力性を備えた材料を用いることによりさらに安全なものにすることができる。
【００２９】
（６）コーナーカバー内に筒形棒材の端部の差込孔や枠材開口端への差込突起を設けることにより、コーナーカバーを枠体に対して正確且つ安定的に差込み保持できるほか、差込孔内にパネル挿入間隙を設けることにより、パネル材の厚みの変動や複数枚のパネル挿入への対応が可能となる。
【００３０】
（７）枠体の外周に係止される係止具とポール等への取付具を設けることにより、屋外のガードレールポールや独自に立てたポール又は横方向の梁への取付け固定が容易になり且つ安定的な取付け保持ができる。
特に、道路傍等にたてられる外溝柵の支柱、標識用ポール、車両止め用ポール、カーブミラー用のポール等に対しても自由に取付られる。
さらに、ポールや支柱に対して自由に取付けられるため、例えば中央分離帯等の路傍の植込がある場合でも、その植込の樹木等を避けた任意の高さで視認性を妨げることなくパネル設置ができるほか、縦長の看板にすることにより植込の景観を損ねることも防止できる。
【図面の簡単な説明】
【００３１】
【図１】本発明の表示パネル用固定枠の全体斜視図である。
【図２】（Ａ），（Ｂ）は同固定枠の各辺を構成する枠材と押えカバーの締付状態と緩め状態の断面図である。
【図３】（Ａ）は枠体コーナー部とコーナーカバーの構造を示す一部断面斜視図である。（Ｂ）は同じくコーナーカバーの取付け状態を示す側面断面図である。
【図４】本発明の固定枠をポール等へ取付ける取付具による取付状態を示す拡大平面図である。
【図５】本発明の固定枠をポール等へ取付けた取付状態を示す拡大側面図である。
【図６】固定枠をポール等へ取付けた取付具の１例を示す拡大平面図である。
【図７】固定枠をガードレールの支柱（ポール）に縦方向に取付けた状態を示す背面斜視図である。
【発明を実施するための形態】
【００３２】
図１は本発明の表示パネル用固定枠の設置状態を示す全体斜視図で、全体の構成としては特許文献１のものと略共通している。固定枠Ａは縦長の長方形の枠体１を構成する左右上下のアルミ製の四角形（この例では一辺２０ｍｍの正方形）断面のパイプからなる枠材１ａ，１ｂを備え、左右の縦方向の枠材１ａ，１ｂ間の上端と中間部及び下端の脚部を残した下部位置に横方向の枠材１ｂ，１ｂが架設されており、図２（Ａ）に示すように連結ビス３により左右の枠材１ｂの外側から締着して連結固定されている。
【００３３】
枠体１の背面側の上方位置にはそれぞれ同一断面のパイプからなる棒状のスタンド４の上端が前後折畳み回動自在に連結されており、左右縦杆４ａ，４ａ間の上下位置には横杆４ｂ，４ｂが横設され、枠体１の下部枠材１ｂには倒伏状態でスタンド４の下部横杆４ｂに後端が係合する梯子状の位置決め枠６が回動自在に連結されている。
【００３４】
枠体１の左右の枠材１ａの背面側の上下適宜位置には、枠を電柱その他の柱状物等に、スタント４を折畳んだ状態（又はスタンド４を取外した状態）で取り付けるためのロープ又はベルト等の一端を連結する索止部７が内向きに突設されている。枠体１の左右上下の各枠材１ａ，１ｂにはそれぞれの枠材の正面側と外周面側を長方形の枠部分の略全長にわたって覆うように被せられる山形断面の押えカバー８ａ，８ｂがボルト９によって取外し可能に締着固定される。この例では組立状態での長方形枠のサイズは短辺が２９５ｍｍ、長辺が１４１５ｍｍとなっている。
【００３５】
そしてボルト９により押えカバー８ａ，８ｂを締着することにより、山形断面の枠内側の端部（内端）と枠材１ａ，１ｂの正面側表面との間に挿入された長方形の表示パネル１１（図２参照）の周縁を押圧して挟持固定する。これまでの説明に係る固定枠の基本構成は特許文献１に示されるものと共通している。
【００３６】
図２は、本発明の枠体１の枠材１ａ（１ｂ）と、それぞれの枠材１ａ，１ｂに取付けられる押えカバー８ａ（８ｂ）との取付け状態を示す拡大断面図である。この実施例では、枠材１ａは前記特許文献１の場合と同様の正方形断面のパイプからなり、これに対し押えカバー８ａは外向きの円弧状に湾曲したＣ形断面に形成されており、Ｃ形断面の枠外周側端（外端）部１２ａは、枠材１ａの枠外周の背面側の直角のコーナー部１２ｂに被さるＶ字形の谷形断面に形成されている。
【００３７】
この実施例では上記押えカバー８ａの外端部１２ａと枠材８ａの外周背面側のコーナー部１２ｂは互に係合して外側内側方向の位置決めを行う係合部１２を構成している。また、押えカバー外端部１２ａのＶ字形の谷形断面の内角θは枠材１ａのコーナー部１２ｂの直角に対し、僅かに鈍角に形成されている。
【００３８】
そして後述する押えカバー８ａの締着時にはＶ字形断面の外向きの平面が前記枠材１ａのコーナー部１２ｂの外周面に当接し（図２（Ａ）参照）、逆に締着を緩めた状態では、図２（Ｂ）に示すように外端部１２ａの内向きの面が枠材８ａのコーナー部１２ｂの背面側の面に選択的に当接し、外端部１２ａがそれぞれ逆向きに位置決め規制される。
【００３９】
また押えカバー８ａの内端部１３はＣ形断面の内側に突出する円形断面に形成され、この円形断面部が図２（Ａ）に示すように枠材１ａの正面側表面との間に挿入されている表示パネル１１の押圧部となる。
【００４０】
押えカバー８ａの内端部１３は図２（Ａ）に示すように、締着状態において枠材１ａの正面側の内側コーナー部近くで表示パネル１１を介して枠材１ａに弾力的に押接され、表示パネル１１は枠体１の正面側に略全周にわたり押圧固定される。
【００４１】
押えカバー８ａは図２に示すように枠体１の外周側からボルト１４を挿通し、枠材１ａの略中央に穿たれたねじ孔に対して締付固定され、その結果ボルト１４の挿通位置（定着位置）は、Ｃ形断面の外周側位置の外端寄りに偏位している。その結果押えカバー８ａの締着時には、締着位置からは、外端部１２ａ側より内端部１３側の長さが長くなり、より弾力性に富んだ押圧（締付）力が生じる（より大きく弾性変形する）ほか、ボルト１４のリードに対する内端部１３側の回動（開閉）度も大きくなり、表示パネル１１の弾力的な押圧が実現でき且つ表示パネル１１の厚みの変動や複数枚の表示パネルを重ねて収容固定することにも対応し易くなる。
【００４２】
また、上記ボルト１４を挿通する押えカバー８ａの周面には、押えカバー８ａを十分に締着した状態でボルト１４の締付面と密着する締付座１６が形成されている。この実施例では締付座１６は押えカバー８ａの円弧状周面に対し、長手方向に沿った単一の平面として表わされるが、押えカバー８ａの肉厚が厚い時は、個々の締付位置に座ぐりを施してもよく、また、ボルト１４として皿ビスを用いた場合は円錐形の皿孔になる。
【００４３】
上記機構により抑えカバー締着時には、図２（Ａ）に示すようにボルト１４の締付面が常に締付座１６に密着しているため、押えカバー８ａが常に理想的な姿勢で締着固定され且つ振動や衝撃等によりボルトが緩むことがない。ちなみに、図２（Ｂ）に示す締着前の姿勢ではボルト締付面は締付座１６に対して片当り状態で不安定である。
【００４４】
尚、上記説明は、枠体１の縦方向の枠材１ａと押えカバー８ａの枠付け機構について説明したが、横方向の枠体１ｂと押えカバー８ｂについても全く同様なのでその部分の説明は割愛する。
【００４５】
図３（Ａ），（Ｂ）は固定枠Ａの上端コーナー部へのコーナーカバー１７の取付構造とコーナーカバー１７自体の構造を示しており（左右のコーナー部は同一機構なので左側コーナーの説明は省略する）、このコーナー部では既述のように枠材１ａ，１ｂが連結ビス３により直角に突き当てた状態で連結固定されており、縦枠材１ａの開口端を、コーナーカバー１７内の差込孔１７ａに差込むことによりコーナーカバー１７が取付けられている。
【００４６】
コーナーカバー１７は全体が弾力性を備えた軟質の樹脂で成形されており、差込孔１７ａ内には枠材１ａの内口端に対して下向きに且つ弾力的に差込み嵌合される一対の差込突起１７ｂが突設されている。さらに差込孔１７ａの内に枠材１ａを差込んだ状態で、枠材１ａ，１ｂの正面と差込孔１７ａの内面との間には、表示パネル１１のコーナー部を収容するパネルの挿入間隙１７ｃが形成される。
【００４７】
上記差込孔１７ａの前後方向の幅は、枠材１ａの一辺の長さａ１と挿入間隙１７ｃの厚みａ２からなり、内側と下側の端部は開放端として構成される。差込突起１７ｂは差込孔１７ａの外側位置に形成された空洞部で、コーナー部への差込が容易にできるように前後壁の弾性変形を助長するためのものである。
また上記差込間隙１７ｃの厚みａ２は、表示パネル１１の厚みａ３より大きく、さらに複数枚の表示パネル１１を重ねて挿入できる厚みに形成しておくことが望ましい。
【００４８】
コーナーカバー１７の外周は図３（Ｂ）に示すように、各角部が面取りされて全体がアールに形成されており、背面側の壁部と差込突起１７ｂとの間に枠材１ａの周壁を介してリベット１８により取付け固定されている。このコーナーカバー１７に対し前記押えカバー８ａ，８ｂの端部は、コーナーカバー１７の平面的な下端面と内端面の位置まで伸びており且つそれらのＣ形断面の外周面は、コーナーカバー１７の周面から突出しないサイズに形成される。
【００４９】
尚、上記実施例では、軽量化も考慮して枠材１ａ，１ｂとしてアルミ製の正方形断面の角パイプを用いたが、これらの枠材の断面は丸パイプ，六角形，八角形等の多角形パイプ材でもよく、一定の剛性が確保されれば硬質のプラスチック材，ＦＲＰ材の使用も可能である。
【００５０】
また、押えカバー８ａ，８ｂも必ずしも円弧状のＣ形断面である必要はなく、人に接触した際の安全性が確保される限り、緩やかに屈曲した多角形筒状片からなるＣ形断面のものの使用が可能である。
【００５１】
さらに、押えカバー８ａ，８ｂの外端部１２ａと枠材１ａ，１ｂのコーナー部１２ｂとで構成される係合部も、上記実施例のもの以外に、枠材１ａ，１ｂの外周面背面側と押えカバー８ａ，８ｂの外端部１２ａとが互に凹凸係合することにより、押えカバー８ａ，８ｂが枠材１ａ，１ｂに対して周面方向に位置決めされた状態で締着固定されればその構造は任意である。
【００５２】
上記構成によれば、表示パネルを強固に固定することができるとともに、表示パネルの差換えと再利用が容易になるため、ビスボルトで表示パネルが使い捨てる場合と比較して、コストを低く抑えることができる。
【００５３】
図４〜図７は、上記のように構成される表示パネル固定枠Ａをポールや支柱，ガードレール等に取付ける場合の機構の例を示すものである。図４，図５に示すものは固定枠Ａの枠の上下端にフック状断面のアルミ板製の係止具２１を係止して保持し、任意立設されたポール２２に取付具２３により着脱自在に取付けた例を示している。
【００５４】
一対の係止具２１はそれぞれ固定枠Ａの上下の横杆を収容して上下から挟持するもので、フック内にはゴム等の弾性部材からなる緩衝部材２４が付設されている。
【００５５】
係止具２１の背面にはチャンネル状断面のスペーサー部材２６を介して取付具２３がルト２５により締着固定されている。取付部材２３は平面視で円弧状の固定片２３ａと可動片２３ｂとが、円形のポール２２を挿通して外周から抱着できるようにピン２７により回動開閉自在に軸支されている。２８は固定片２３ａと可動片２３ｂの開放端側を前後に連結する締付ボルトで、固定片２３ａ側にボルトヘッド側が水平回動可能に軸支され、その先端（回動端）側は可動片２３ｂのＵ字形の挿入溝２３ｃに起立状態で挿入（挿通）される。
【００５６】
上記締付ボルト２８の回動端にはナット２９がねじ込まれ、これにより固定片２３ａと可動片２３ｂとの間にポール２２を上下方向に挿通してナット２９により取付部材２３により、上下の係止具２１をポール２２に締付固定し、同時に固定枠Ａもポール２２に取付けられる。
【００５７】
図６は任意のポール２２を他のポール又は支柱３１に沿って取付けるための大型の取付具３２と前記取付具２３とを組合せたもので、大型の取付具３２は前後又は左右で向き合う一対の板状の取付プレート３３を備えている。
【００５８】
上記取付プレート３３，３３はその間に支柱３１を挿通してこれを両側から挟持した状態で、両端同士を締付ボルト３４で連結して、ポール２２を支柱３１に取付ける。３５は締付用ナットである。
【００５９】
取付プレート３３，３３は中央が外側に円弧状に張り出し支柱３１を教示する際の位置決めを行う位置決め部３３ａを備えており、その内側にはゴムパット等からなる緩衝材３６が取付けられてる。この例では小型の取付具２３（この取付具２３は図４，図５に示すものと同一構造）は、一方の取付プレート３３の外側面の端部側に取付けられ、図６に示すように一方の締付ボルト３４のボルトヘッド側に先締めされて取付けられている。
【００６０】
上記機構により、小型のポール２２はそれ自体を独立して任意の場所に差込んで立設することができるほか、他の大型の支柱３１を利用してこれに沿わせて立設することも可能である。図７は上記取付具３１を利用してガードレール３７の支柱３１に沿って小型のポール２２を取付け、併せて固定枠Ａを取付固定した例を示している。
【００６１】
上記のように取付具２１，３１を用いることにより、パネル固定枠Ａは、任意に立設されるポールや支柱に対して簡単にしかも安定的に取付けられる他、ガードレールその他の既存の支柱に対しても同様に取付けることができる。
【００６２】
尚、表示パネルは上記実施例のように縦方向に長いものばかりでなく、横方向に長いものもあるため、その場合は係止具２１や取付具２３，３１の方向を変えて取付けることにより横方向の梁（図示しない）等に対して、表示パネル固定枠Ａを横向きに取付固定することも可能であり、外周に突出す脚部は、省略することもできる。
【００６３】
その他、固定枠Ａは、従来は横幅５５０〜１１００ｍｍのように幅広のものとされていたが、上記実施例のように３００ｍｍ以下の幅狭のものを用いることにより、他の標識用の支柱等に共付けする場合も取付け易くなるほか、背面側に紐付部７を取付けたことにより、電柱等大型ポールやフェンス等に取付けできる利点があるとともに、固定枠Ａが歩行者や車両側へ突出しない。
【符号の説明】
【００６４】
Ａ  固定枠
１  枠体
１ａ，１ｂ  枠材
８ａ，８ｂ  押えカバー
１１  表示パネル
１２係合部
１２ａ  押えカバーの外端
１２ｂ  枠材のコーナー部
１３  押えカバーの内端
１４  ボルト
１７  コーナーカバー
１７ａ  差込孔
１７ｂ  差込突起
１７ｃ  パネル挿入間隙
２１  係止具
２２  ポール
２３  取付具
３１  ポール又は支柱
３２  取付具
【図１】
2015161787.tif 000003
【図２】
2015161787.tif 000004
【図３】
2015161787.tif 000005
【図４】
2015161787.tif 000006
【図５】
2015161787.tif 000007
【図６】
2015161787.tif 000008
【図７】
2015161787.tif 000009